(57)【要約】【目的】単体で且つ簡易な構造で拍子木のように打撃音を発生させることが出来るような応援用具を提供する。【構成】打撃可能な物体の壁面にスリットを設けた応援用具であって、手で壁面を打撃するとその勢いにより前記スリットの両縁部が互いに打ち合って打撃音を発するものである。【選択図】      図１
2005018004.tif 000002
【特許請求の範囲】
【請求項１】
打撃可能な物体の壁面にその長手方向へスリットを設けて、壁面を打撃した時に前記スリットの両縁部が打ち合うようにしたことを特徴とする応援用具。
【請求項２】
前記打撃可能な物体が板状体である、請求項１に記載の応援用具。
【請求項３】
前記打撃可能な物体が筒状体である、請求項１に記載の応援用具。
【請求項４】
前記打撃可能な物体がメガホン部を備えている、請求項１に記載の応援用具。
【請求項５】
前記スリットは前記壁面の縁部に達するものである、請求項１に記載の応援用具。
【請求項６】
前記スリットは前記壁面の縁部に達していないものである、請求項１に記載の応援用具。
【請求項７】
前記壁面の、前記スリットの前記縁部側の端部と縁部との間に伸縮部が設けられている、請求項６に記載の応援用具。
【請求項８】
前記スリットの両縁部の肉厚が他の壁面部よりも大きいものである、請求項１に記載の用具。
【請求項９】
前記スリットの両縁部に互いに打ち合うことが可能な鍔部が形成されている、請求項１に記載の応援用具。
【請求項１０】
前記スリットは、前記壁面の長手方向へ設けられた凸条部の中心部に、その長手方向へ向け切り込みが入れられて成るものである、請求項１に記載の応援用具。
【請求項１１】
前記凸条部の中心部が鋭角に形成されている、請求項１０に記載の応援用具。
【請求項１２】
前記スリットは、前記壁面の長手方向へ設けられた凹条部の中心部に、その長手方向へ向け切り込みが入れられて成るものである、請求項１に記載の応援用具。
【請求項１３】
前記凹条部の中心部が鋭角に形成されている、請求項１２に記載の応援用具。
【発明の詳細な説明】
【０００１】
【発明の属する技術分野】
この発明は、壁面を手で打撃することによって音を発生させることが出来るような応援用具に関する。
【０００２】
【従来の技術】
スポーツ観戦例えば野球の応援に際し、両手に持った２つのメガホンを互いに打ち付け合って音を出すことが盛んに行なわれている。またメガホンの代わりに合成樹脂製のおもちゃのバットを打ち合って打撃音を出すようなことも行なわれている。これ等の使用法は拍子木に倣ったものであると言うことが出来る。
【０００３】
【発明が解決しようとする課題】
しかしながらこれ等の応援方法に於いては、拍子木と同様の使用法並びに構成としているため、メガホンであればメガホンを２つ必要とし、バットのおもちゃであればそれを２つ必要としている。同じようなものがペアに成っていないと、拍子木的な使い方が出来ないのである。
【０００４】
そこでこの発明は、ひとつでも同様の作用効果が得られるような新規な構造の応援用具を提供しようとするものである。
【０００５】
【課題を解決するための手段及び作用】
上記課題は、打撃可能な物体の壁面にその長手方向へスリットを設けて、壁面を打撃した時に前記スリットの両縁部が打ち合うようにすることにより達成される。なお前記スリットの形成個数に付いて、１以上の任意個数が可能であるために特に限定しないが、製造面や強度面などから見て１つまたは２つ程度が妥当である。
【０００６】
打撃可能な物体とは、例えば上述したメガホンや中空なバットのおもちゃのような筒状体のことである。メガホン形状をしてはいてもメガホンとしての役割を担っていないようなものでも、筒状体であればその壁面などが打撃可能である。また打撃可能な物体とは、例えば単なる平板や扇状体や所謂ハリセンなどの板状体のことであって、これ等は扇子で頭をチョンと叩く仕草からも分かるように、主としてその側縁部などからの打撃が可能である。
【０００７】
なお前記筒状体では次のような効果を奏する。すなわちスポーツ観戦、例えば野球の応援に際し両手に持った２つのメガホンを互いに打ち付け合って音を出すことが盛んに行なわれている。またメガホンの代わりに合成樹脂製のおもちゃのバットを打ち合って打撃音を出すようなことも行なわれている。これ等の使用法は、拍子木に倣ったものであると言うことが出来る。しかしながらこれ等の応援方法に於いては、拍子木と同様の使用法並びに構成としているため、メガホンであればメガホンを２つ必要とし、バットのおもちゃであればそれを２つ必要としている。従ってこれまでは同じものを２つ１組として購入しなくてはならないために、不必要に出費が大きくなっていたが、この発明は上述したような問題をも解決することが出来るのである。
【０００８】
さて前記スリットとは、この壁面に設けられた切れ込みのことである。従って例えば前記筒状体であればそれを片方の手で持ち、もう一方の手で筒状体の壁面を打撃すると、その勢いにより前記スリットの両縁部が互いに打ち合って打撃音を発するのである。また前記板状体であればそれを片方の手で持ち、もう一方の手で板状体の側縁部などを打撃すればよい。なおスリットの幅に付いては、その両縁部が互いに打ち合い得る程度であれば特に限定されない。スリットさえ空いていれば、その両縁部が接しているような状態であっても、打撃の弾みによって音を発生することが分かっている。
【０００９】
次に、前記打撃可能な物体がメガホン部を備えているものとしてもよい。前記メガホン部はメガホンとしてのみ使用され、その吹き口部で声を出すことによって拡声の作用を生ずる。従って打撃による応援とメガホンによる声援とをひとつの用具で使い分けることが出来る。
【００１０】
次にスリットは前記壁面の縁部にまで達するように設ける場合と、そうでない場合とがある。前者の場合には打撃によってスリットの両縁部が比較的強く打ち合い、比較的大きな音を立てることができる。後者の場合でも打撃によってスリット回りが打ち合うため音を発生する。なお特に後者では携帯時や打撃時に於ける壁面の変形が少なくなると言う効果がある。この壁面の潰れや変形の度合いは前者では打撃可能な物体の形状や素材によって異なることが分かっている。打撃可能な物体が潰れて、スリットの両縁部が重なり合うこともある。しかしながら後者では、変形の作用そのものが生じ難いのであり、発生する音もガチャガチャ音ではなくより軽快な音になるなどの作用効果が見られる。
【００１１】
なお後者の応援用具に於いて、前記壁面の、前記スリットの前記縁部側の端部と縁部との間に伸縮部が設けられているものでは、打撃時にスリットの両縁部が打ち合う際にこの伸縮部が縮まることによってこの両縁部の打ち合いがより行なわれやすくなる作用がある。当該伸縮部は、この部位のみ素材を伸縮性のあるものにしたり、蛇腹のような伸縮する構造にすることなどにより実現可能である。あるいは前者の応援用具の場合では、スリットの前記縁部側の端部と縁部との間に伸縮素材を挟み込むことによっても実現可能である。
【００１２】
次に前記スリットの両縁部の肉厚が他の壁面部よりも大きいものとすることが出来る。前記スリットの両縁部が他の壁面部と同じ肉厚であるよりも、幾分なりとも厚みがあるほうが打撃がより確実なものとなる。
【００１３】
また、前記スリットの両縁部に互いに打ち合うことが可能な鍔部が形成されているものとすることが出来る。前記鍔部同士は、恰かも両手を打ち合う拍手のように打ち合うため、打撃がより確実でより大きな音を立てることが出来る。
【００１４】
また、前記スリットは、前記壁面の長手方向へ設けられた凸条部の中心部に、その長手方向へ向けて切り込みが入れられて成るものとすることが出来る。前記スリットをその両縁部間に僅かに隙間が出来るように形成するには、例えば前記壁面の長手方向へ凸条部を設けるように成型し、この凸条部の両側の立ち上げ部をカッターナイフなどでえぐるように切断して凸条部を除去するようにすれば、その跡には目的のスリットが形成されるのである。これはこれで良いのではあるが、前記凸条部の両側に対してカッターナイフなどでえぐると言う作業が要請されるので、さらに工程を簡単なものにするには次のようにすれば良い。すなわち凸条部の中心部にその長手方向へ向けて切り込みを入れて成るものとするのである。
【００１５】
なお更に、前記凸条部の中心部が鋭角に形成されているものとすることが出来る。この鋭角に形成されている部分にカッターナイフを刺し入れ、ここに添って切れ込みを入れて行けば、前記鋭角部分がガイドの役目を担って一条のスリットが形成される。従って前記凸条部の両側をぐるりとえぐらずとも、前記凸条部の中心部に一本の切れ込みを入れるだけであるから、作業が極めて楽でありコストにも良い影響を及ぼす。なお前記凸条部の中心部が鋭角に形成されているため、ここがカッターナイフのガイドと成る作用効果がある。
【００１６】
また、前記スリットは、前記壁面の長手方向へ設けられた凹条部の中心部に、その長手方向へ向け切り込みが入れられて成るものとすることが出来る。これは前記前記凸条部とは反対側（壁面の内側方向）への凸条部と言うことになるが、カッターナイフなどでえぐる作業を行なった結果は上述した凸条部の場合と同一である。しかしながら、前記凹条部の中心部が鋭角に形成されているものとした場合では、この鋭角に形成されている部分に添って一条の切れ込みを入れて行けばスリットが形成される点は同一であるものの、スリットがある凸条部が壁面の内側へ向き、壁面の外側へは出て来ないため、比較的見た目が良いと言う利点がある。
【００１７】
【発明の実施の形態】
以下、本発明の実施形態に付き、図面に基づいて説明するが、本発明はこれらの実施形態にのみ限定されるものではない。なおこれらの実施形態に於ける要部は合成樹脂成型によるものの例である。
【００１８】
（第１実施形態）
図１で表わした応援用具は、打撃可能な物体として合成樹脂によって扇状体１に成型して成るものである。この扇状体１の中心部からは外縁部に至るスリット１１が設けられている。このスリット１４の幅すなわち両縁部間の距離を５ミリメートルほど取っており、スリット１１の両縁部には鍔部１２，１２が形成されている。またこの扇状体１の両側には手で打撃するための側板１０が設けられている。なおこの扇状体１には握り部１３が設けられている。
【００１９】
この扇状体１は弾力性のある合成樹脂製のものであるから、握り部１３を片手で握り、もう一方の手で前記側板１０を打撃すると、打撃の弾みによりスリット１１の両縁部の鍔部１２，１２が互いに打ち合って打撃音を発生する。また所謂ハリセンのような使い方が可能である。このように数ミリメートルの隙間がある場合もスリットであり、打撃の衝撃でスリットの両縁部が互いに打ち合うことが出来るわけであるが、この実施形態では鍔部１２，１２が形成されているため、より確実に打ち合うことが可能と成っている。なおこの応援用具は、扇のように扇ぐ仕草での応援にも使用することが出来る。
【００２０】
（第２実施形態）
図２及び図３で表わした応援用具は、打撃可能な物体として合成樹脂によって筒状体２に成型して成るものである。この筒状体２は野球のバットをデフォルメした形状と成っており、細い方の側は握り部２０として筒形が閉じられており、太い方の側には開口部２１が設けられている。この筒状体２の壁面にはその長手方向へ向けて、開口部２１にまで達するスリット２２を形成した。このスリット２２は、筒状体２の壁面をカッターナイフで切り込んで付けたものである。この横断面形状を模式的に表わしたものが図３であるが、前記筒状体２の壁面にその長手方向へ向けて、開口部２１にまで達するスリット２２を、２回対称の位置に２つ形成すると共に、このスリット２２の両縁部に筒状体２の内側に向けて鍔部２３，２３を形成した。なおこのメガホンは図３の上方向または下方向から打撃するものであるが、打撃する部位の目安とすべく略円形状の打撃部２４を設けている。ここには絵柄を入れたりシールを貼ったりすることが出来る。
【００２１】
この応援用具は中空状で軽量であるから、片手で握り部２０を握り楽々と取り扱うことが可能である。握り部２０の端部は閉じられており、強度は十分に確保されている。そこでもう一方の手で前記打撃部２４あたりを打撃することによって音を出すことが出来る。この時、スリット２２の両縁部に設けられている鍔部２３，２３同士が恰かも両手を打ち合う拍手のように打ち合うため、打撃がより確実でより大きな音を立てることに成る。
【００２２】
（第３実施形態）
図４で表わした応援用具は、打撃可能な物体として合成樹脂によって成型された筒状体３，３を、握柄兼用のマラカス部３０の両側に設けて成るものである。即ち、この筒状体３の壁面にその長手方向へ向けて、前記筒状体３の中央部付近から開口部３２の約２センチメートル手前まで延びるスリット３１を形成した。なおこのスリット３１は前記筒状体３，３の壁面をカッターナイフで切り込んで付けたものであり、各々の筒状体３に付いて６回対称の位置に６条のスリットが設けられている。また前記マラカス部３０は閉じられており、その内部には合成樹脂ペレットが所要量だけ納められている。
【００２３】
この応援用具は握柄がマラカス部３０と成っているため、ここを持って振るだけで合成樹脂ペレットが筒状体３に当たってマラカスの音を出すことが出来る。他方マラカス部３０を片手で握って、もう一方の手で筒状体３の壁面を打撃すると、その勢いにより前記スリット３１の両縁部が互いに打ち合って打撃音を発する。この時の打撃の位置は任意であり、何れかのスリット３１の両縁部が互いに打ち合って打撃音を発する。スリット３１は筒状体３の壁面を切り込んで付けただけのものであるから、スリット３１の両縁部分は互いに付かず離れずのような状態ではあるが、打撃の弾みにより互いに打ち合って音を発生し、これが筒状体３に伝わって響くように聞こえる。
【００２４】
またこの際、スリット３１は前記開口部３２にまで達していないが、打撃時の衝撃でスリット３１回りが打ち合うために音を発生するのである。この際に発生する音はガチャガチャ音ではなく軽快な音である。また特にスリット３１が開口部３２にまで達していないことによって、スリット３１の近くの壁面を打撃した場合に、開口部３２が潰れてスリット３１の両縁部の打ち合いが弱くなり、音が弱くなると言うようなことが起こらず、携帯時や打撃時等に於ける開口部３２の壁面の変形が少なくなるという効果がある。
【００２５】
（第４実施形態）
図５及び図６で表わした応援用具は、打撃可能な物体として合成樹脂によって成型されたメガホン様の筒状体４に関するものであるが、メガホンとしての機能を備えないため握り部４０には吹き口は設けられていない。この実施形態の特徴は筒状体４の壁面に設けられたスリット４２の構成にある。すなわちこの筒状体４の壁面にその長手方向へ向けて前記筒状体４の中央部付近から開口部４１にまで達する凹部４３を形成し、この凹部４３の底部にカッターナイフを入れるようにして、開口部４１の手前２センチメートルまで切り裂いてスリット４２を設けて成る。なお前記凹部４３は筒状体４の内側に向けて突出している。この先端部が略Ｖ字形状に凹設された凹部４３は、カッターナイフを用いてここを切り裂く際のガイド性が良好である。また凹部４３はＶ字形状の先端部へ近付くほど肉薄と成っているため、切り裂きやすいという利点がある（図６）。
【００２６】
この実施形態では、前記凹部４３は開口部４１まで達するように形成されているが、前記スリット４２は開口部４１の２センチメートル手前までであり、開口部４１にまでは達していない点に特徴を有する。すなわちこの２センチメートルの間は略Ｖ字形状の凹部４３のみ形成された形と成っており、凹部４３には打撃の力が加わりやすく、蛇腹のように縮小しやすく、これにより一層効率的に前記スリット４２の両縁部を叩き合わせる。なお前記凹部４３は筒状体４の外側から見ると凹部であって、筒状体４の内側方向へ突出しているものであり、筒状体４の外側へは出て来ていないため、比較的見た目が良いと言う利点がある。
【００２７】
（第５実施形態）
図７及び図８で表わした応援用具は、上述した第４実施形態と同様の筒状体５と握り部５０とを備えるが、この握り部５０に吹き口は設けられていない。この筒状体５にその長手方向へ向けて前記筒状体５の中央部付近から開口部まで達する凹部５３を形成し、この凹部５３の底部にカッターナイフを入れるようにして開口部に至るスリット５２を設ける。またさらにこの開口部に補強筒５１を被せて成る。なお前記凹部５３は全体が略Ｕ字形状を呈し、筒状体５の内側に向けて突出している（図８）。
【００２８】
この応援用具では、スリット５２は凹部５３と共に筒状体５の開口部に至るまで形成されているが、開口部に補強筒５１が被せられていることによって、スリット５２は実質的には補強筒５１の手前までしか形成されていないことに成る。従って上述した第４実施形態の応援用具と同様の作用効果を奏する。なお補強筒５１を取り付ける代わりに、この部位にビニールテープ等のテープを捲き付ける構成も可能である。
【００２９】
（第６実施形態）
さて上述した第４及び第５実施形態では凹部４３，５３を筒状体４，５の内側に向けて突設していた。これに対してこの第６実施形態および次に説明する第７実施形態では凸部６１，７１としている。すなわちこの第６実施形態は、筒状体壁面６の長手方向へ向け先端部が略Ｖ字形状に設けられた凸部６１の前記先端部に切り込みが入れられてスリット６０が形成されている。なお凸部６１は筒状体壁面６の外側に向けて突出している（図９）。
【００３０】
凸部６１の先端部が略Ｖ字形状に突設されており、先端部にカッターナイフを入れて切り裂く際のガイド性が良好であるという利点がある。
【００３１】
（第７実施形態）
図１０はこの実施形態の一部分である筒状体壁面７を拡大して表わしたものである。筒状体壁面７の長手方向へ設けられた凸部７１の中心部に、その長手方向に向けて切り込みが入れられてスリット７０が形成されている。なお凸部７１はその全体が略Ｕ字形状を呈している。
【００３２】
なお前記凸部７１は筒状体壁面７の外側から見ると凸部であり、筒状体壁面７の外側方向へ突出しているものである。
【００３３】
（第８実施形態）
図１１はこの実施形態の一部分である筒状体壁面８を拡大して表わしたものであるが、この筒状体壁面８の長手方向へ向けて形成されたスリット８０の両縁部の肉厚が他の壁面部よりも大きい肉厚部８１と成っている点に特徴を有する。
【００３４】
この肉厚部８１の存在によって打撃がより確実なものと成り、音がよいと言う効果がある。
【００３５】
（第９実施形態）
図１２で表わした応援用具は、打撃可能な物体として合成樹脂により成型されたメガホン様の、しかしメガホンとしての機能を備えていない筒状体９と、メガホンの拡声部９１とを、共有する１つの握り部９３によって束ねて成るものであり、前記筒状体９側はこの握り部９３とは通気しないが、前記拡声部９１と握り部９３とは通気するように構成されている。符号９４は握り部９３に設けられた吹き口部である。前記拡声部９１の端部は拡声口とされており、また前記筒状体９の端部は開口部９０とされている。而して筒状体９の壁面の、前記筒状体９の中央部付近から開口部９０にまで達する部位に、その長手方向へ向けてカッターナイフを入れるようにして切り裂いてスリット９０を設けて成る。
【００３６】
前記握り部９３を片手で握ってもう一方の手で筒状体９の壁面を打撃すると、その勢いにより前記スリット９０の両縁部が互いに打ち合って打撃音を発する。このスリット９０は筒状体９の壁面を切り込んで付けただけのものであるから、スリット９０の両縁部分は互いに付かず離れずのような状態ではあるが、打撃の弾みにより互いに打ち合って音を発生し、これが筒状体９に伝わり主として開口部９０から発せられて響くように聞こえる。
【００３７】
一方で、前記吹き口部９４に口を当てて発生すると、その声は通気のある前記拡声部９１の側へ流れ、拡声口９２から発せられる。このようにこの実施形態の応援用具は、打撃音を発生するのみならずメガホンとしての利用法がある。このような形態もあり得るのである。
【００３８】
（その他）
なおこの他、スリットの両縁部に壁面の他の部位とは異なる材料から成る互いに叩き遭う部材を付けることが出来る。例えば他よりも硬い材料を用いるようにするなどである。前記打撃可能な物体が筒状体である場合に、その形状は円筒形に拘らないから、例えば角丸の方形などが任意に採用可能である。また機能ではなく形状のみ従来のメガホン形状とすることが可能である。またこの素材に関しても任意である。またこの発明の応援用具に紐通しのための孔を設けることなども可能である。
【００３９】
またスリットが外側から見えなくなるように、スリットの上にビニール製等のシールを、このシールの中央部分がスリットに接着しないようにしてスリットの周縁部で壁面に接着するなどの工夫が可能である。この構成によってもスリットからは打撃音を発生させることが出来るのである。なお例えば上述した第４実施形態では、凹部４３の底部にカッターナイフを入れるようにしてスリット４２を刻設しているが、凹部４３の周囲を切り取るようにして幅広のスリットを設けることが可能である。
【００４０】
【発明の効果】
以上この発明の応援用具は、打撃可能な物体の壁面にスリットを設けただけの簡易構造でありながら、拍子木のように打撃音を発生させることが出来る。
【００４１】
この結果、従来品では同じものを２つ揃える必要があったのに対して、この発明では単体でこのような打撃音を発生させることが可能と成っている。
【図面の簡単な説明】
【図１】第１実施形態の斜視図である。
【図２】第２実施形態の縦断面図である。
【図３】同実施形態の横断面模式図である。
【図４】第３実施形態の斜視図である。
【図５】第４実施形態の斜視図である。
【図６】同実施形態の横断面一部模式図である。
【図７】第５実施形態の斜視図である。
【図８】同実施形態の横断面一部模式図である。
【図９】第６実施形態の横断面一部模式図である。
【図１０】第７実施形態の横断面一部模式図である。
【図１１】第８実施形態の横断面一部模式図である。
【図１２】第９実施形態の斜視図である。
【符号の説明】
１    扇状体
１０  側板
１１  スリット
１２  鍔部
１３  握り部
２    筒状体
２０  握り部
２１  開口部
２２  スリット
２３  鍔部
２４  打撃部
３    筒状体
３０  マラカス部
３１  スリット
３２  開口部
４    筒状体
４０  握り部
４１  開口部
４２  スリット
４３  凹部
５    筒状体
５０  握り部
５１  補強筒
５２  スリット
５３  凹部
６    筒状体壁面
６０  スリット
６１  凸部
７    筒状体壁面
７０  スリット
７１  凸部
８    筒状体壁面
８０  スリット
８１  肉厚部
９    筒状体
９０  開口部
９１  拡声部
９２  拡声口
９３  握り部
９４  吹き口部
【図１】
2005018004.tif 000003
【図２】
2005018004.tif 000004
【図３】
2005018004.tif 000005
【図４】
2005018004.tif 000006
【図５】
2005018004.tif 000007
【図６】
2005018004.tif 000008
【図７】
2005018004.tif 000009
【図８】
2005018004.tif 000010
【図９】
2005018004.tif 000011
【図１０】
2005018004.tif 000012
【図１１】
2005018004.tif 000013
【図１２】
2005018004.tif 000014
【手続補正書】
【提出日】平成16年5月24日(2004.5.24)
【手続補正１】
【補正対象書類名】明細書
【補正対象項目名】０００２
【補正方法】変更
【補正の内容】
【０００２】
スポーツ観戦例えば野球の応援に際し、両手に持った２つのメガホンを互いに打ち付け合って音を出すことが盛んに行なわれている。またメガホンの代わりに合成樹脂製のおもちゃのバットを打ち合って打撃音を出すようなことも行なわれている。これ等の使用法は拍子木に倣ったものであると言うことが出来る。
【特許文献１】
特開２０００−３５２９８５号公報
【特許文献２】
意願２００４−００６５１９号


【手続補正２】
【補正対象書類名】明細書
【補正対象項目名】０００３
【補正方法】変更
【補正の内容】
【０００３】
しかしながらこれ等の応援方法に於いては、拍子木と同様の使用法並びに構成としているため、メガホンであればメガホンを２つ必要とし、バットのおもちゃであればそれを２つ必要としている。同じようなものがペアに成っていないと、拍子木的な使い方が出来ないのである。このため特開２０００−３５２９８５号のような「メガホン等応援用具の携帯用ストラップ」も提案されている。なお意願２００４−００６５１９号の「メガホンおもちゃ」は合成樹脂成型に成る中空体を２本、各々に設けた紐通しの孔に紐を通して連結して成るものであり、各々両方の手に持って互いに叩き合うことで拍子木のような打撃音を立ててスポーツ観戦を行うことができる。